(57)【要約】【課題】消費電力を抑えつつ、横クロストークを低減できる電気光学装置、電気光学装置の駆動方法および電子機器を提供すること。【解決手段】電気光学装置１は、走査線Ｙおよびデータ線Ｘの交差に対応して設けられた画素１５０が配列された表示領域Ａと、当該表示領域Ａに対して光を照射する光源と、を備える。この電気光学装置１は、走査線Ｙを所定の順番で選択する選択電圧を供給する走査線駆動回路２０と、データ線Ｘに画像信号を供給するデータ線駆動回路３０と、をさらに備える。データ線駆動回路３０は、光源により選択的に照明が行われる照明表示領域に対応するデータ線Ｘに画像信号を供給し、光源により選択的に照明が行われない非照明表示領域に対応するデータ線Ｘに画像信号と異なる信号を供給する。【選択図】図１
2007212606.tif 000002
【特許請求の範囲】
【請求項１】
複数の走査線と、複数のデータ線と、前記複数の走査線と前記複数のデータ線との交差に対応して設けられた複数の画素が配列された表示部と、当該表示部に対して光を照射する光源と、を備える電気光学装置であって、
前記走査線を所定の順番で選択する選択電圧を供給する走査線駆動回路と、
前記走査線が選択された際に、前記データ線に画像信号を供給するデータ線駆動回路と、を備え、
前記表示部は、前記光源により複数の表示領域に対して選択的に照明が行われる照明表示領域と、前記光源により選択的に照明が行われない非照明表示領域と、を有し、
前記データ線駆動回路は、前記照明表示領域に対応するデータ線に対して画像信号を供給するとともに、前記非照明表示領域に対応するデータ線に対して当該画像信号と異なる信号を供給することを特徴とする電気光学装置。
【請求項２】
請求項１に記載の電気光学装置において、
前記照明表示領域および前記非照明表示領域は、前記走査線の延在する方向に並んで設けられることを特徴とする電気光学装置。
【請求項３】
請求項１または２に記載の電気光学装置において、
前記画像信号は、階調に応じたパルス幅信号であり、当該画像信号と異なる信号は、前記画像信号の極性を反転して供給することを特徴とする電気光学装置。
【請求項４】
請求項３に記載の電気光学装置において、
前記データ線駆動回路は、前記画像信号のうち同一の走査線に係る画素に供給されるものについて、階調レベルを計数する階調レベル計数部と、
前記階調レベル計数部で計数された階調レベルのうち発生頻度の高いものを抽出する階調レベル抽出部と、
前記発生頻度の高い階調レベルの画像信号の極性を反転して、前記画像信号とは異なる信号を生成する反転画像信号生成部と、を備えることを特徴とする電気光学装置。
【請求項５】
請求項１乃至４のいずれか１項に記載の電気光学装置において、
前記非照明表示領域のうち前記照明表示領域に隣接する境界近傍を境界領域とすると、
前記データ線駆動回路は、前記境界領域に対応するデータ線に対して、所定の均一な階調レベルの信号を供給することを特徴とする電気光学装置。
【請求項６】
請求項１乃至５のいずれか１項に記載の電気光学装置において、
前記照明表示領域および前記非照明表示領域をフレーム期間ごとに変化させることを特徴とする電気光学装置。
【請求項７】
請求項６に記載の電気光学装置において、
フレーム周波数は、１２０Ｈｚ以上であることを特徴とする電気光学装置。
【請求項８】
複数の走査線と、複数のデータ線と、前記複数の走査線と前記複数のデータ線との交差に対応して設けられた複数の画素が配列された表示部と、当該表示部に対して光を照射する光源と、を備える電気光学装置の駆動方法であって、
前記走査線に対して所定の順番で選択する選択電圧を供給し、
前記走査線が選択された際に、前記データ線に対して画像信号を供給し、
前記表示部は、前記光源により複数の表示領域に対して選択的に照明が行われる照明表示領域と、前記光源により選択的に照明が行われない非照明表示領域と、を設け、
前記照明表示領域に対応するデータ線に対して画像信号を供給するとともに、前記非照明表示領域に対応するデータ線に対して当該画像信号と異なる信号を供給することを特徴とする電気光学装置の駆動方法。
【請求項９】
請求項１乃至７のいずれか１項に記載の電気光学装置を備えることを特徴とする電子機器。
【発明の詳細な説明】
【技術分野】
【０００１】
本発明は、電気光学装置、電気光学装置の駆動方法および電子機器に関する。
【背景技術】
【０００２】
従来より、電気光学装置として、アクティブマトリクス型の液晶表示装置が知られている。このアクティブマトリクス型の液晶表示装置は、複数の走査線およびコモン線、これら走査線およびコモン線に略直交する複数のデータ線、ならびに、走査線およびデータ線の交差に対応して設けられた複数の画素を第１の基板、もしくは第２の基板、もしくは両方の間で構成し、これら第１および第２の基板と、第１のおよび第２の基板に挟まれた電気光学物質である液晶と、を備えている。
【０００３】
以上の電気光学装置では、例えば、パルス幅変調によって各画素の階調表示が行われる。パルス幅変調とは、走査線に選択電圧が印加される期間に、階調に応じたパルス幅の信号を画像信号としてデータ線に供給することによって、画素に印加される電圧実効値を制御して階調表示を行う、というものである。
【０００４】
しかしながら、このパルス幅変調を用いた場合、走査線の延びる方向（横方向）に表示むらが発生する、という課題があった（以降、横クロストークと呼ぶ）。
【０００５】
この横クロストークは、パルス幅の変調によるデータ線の電圧変動に伴い、データ線と容量結合する走査線にスパイク状のノイズ（スパイクノイズ）が生じるために発生する。すなわち、上述のスパイクノイズは、各データ線に印加された画像信号によって生じるため、同一走査線上の画像信号の組み合わせによって、画素の階調を決定付ける画素容量（液晶容量）の電圧実効値が変化する。
【０００６】
そこで、横クロストークを低減するために、選択された行に係る画素に関して階調値の発生度数を計数し、この計数結果に基づいて、選択された行に係る画素の各々に供給する画像信号の電圧を補正する手法が提案されている（例えば、特許文献１参照）。
この提案によれば、１行分の画素の表示パターンに基づく画素容量の実効電圧の変動を見越した上で、データ信号のパルス幅（電圧）を補正したので、画素容量の電圧実効値の変動分（スパイクノイズ）を相殺でき、横クロストークの低減を図ることができる。
【０００７】
また、横クロストークを低減するために、同一走査線内に印加する画像信号でパルス幅選択方法を切り替える手法が提案されている（例えば、特許文献２参照）。
この提案によれば、スパイクノイズは画像信号の変化方向に生じることを利用し、同一走査線内に印加する画像信号でパルス幅選択方法を切り替えてスパイクノイズを異なる方向に発生させ、画素容量の電圧実効値の変化を減少させ、横クロストークの低減を図ることができる。
【特許文献１】特開平８−１６０３９２号公報
【特許文献２】特開平１１−５２３３３号公報
【発明の開示】
【発明が解決しようとする課題】
【０００８】
しかしながら、上述の特許文献１に示された電気光学装置において階調数を増加させると、この階調値の発生度数を計数する回路の回路規模が大きくなり、消費電力が増大する、という課題がある。
また、上述の特許文献２に示された電気光学装置においても、画素容量の電圧実効値の変化の減少は表示パターンへの依存があり、完全に横クロストークを解消できないという課題がある。
【０００９】
本発明は、消費電力を抑えつつ、横クロストークを低減できる電気光学装置および電子機器を提供することを目的とする。
【課題を解決するための手段】
【００１０】
複数の走査線と、複数のデータ線と、前記複数の走査線と前記複数のデータ線との交差に対応して設けられた複数の画素が配列された表示部と、当該表示部に対して光を照射する光源と、を備える電気光学装置であって、前記走査線を所定の順番で選択する選択電圧を供給する走査線駆動回路と、前記走査線が選択された際に、前記データ線に画像信号を供給するデータ線駆動回路と、を備え、前記表示部は、前記光源により複数の表示領域に対して選択的に照明が行われる照明表示領域と、前記光源により選択的に照明が行われない非照明表示領域と、を有し、前記データ線駆動回路は、前記照明表示領域に対応するデータ線に対して画像信号を供給するとともに、前記非照明表示領域に対応するデータ線に対して当該画像信号と異なる信号を供給することを特徴とする。
【００１１】
この発明によれば、光源により、表示部のうち非照明表示領域に対して照明をせず、表示部のうち照明表示領域に対して選択的に照明した。そして、データ線駆動回路により、複数のデータ線のうち照明表示領域に係るものには、画像信号を供給し、複数のデータ線のうち非照明表示領域に係るものには、画像信号とは異なる信号を供給した。
すなわち、照明表示領域にのみ照明して、この照明表示領域のみで画像信号に基づく階調表示を行った。したがって、画像信号とは異なる信号として、画像信号による画素容量の電圧実効値の変動分を減少させるような信号を供給することで、横クロストークを低減できる。
【００１２】
また、この発明によれば、従来のように階調値の発生度数を計数する回路が不要となるから、階調数が増加しても、電気光学装置の回路規模が増大するのを抑制して、消費電力が増大するのを防止できる。
【００１３】
本発明の電気光学装置では、前記照明表示領域および前記非照明表示領域は、前記走査線の延在する方向に並んで設けられることが好ましい。
【００１４】
この発明によれば、照明表示領域および前記非照明表示領域を、走査線の延在する方向に並んで設けた。このため、各走査線に係る画素ごとに、画像信号と異なる信号であって、画像信号による画素容量の電圧実効値の変動分を減少させるような信号を供給して、横クロストークを確実に低減できる。
【００１５】
本発明の電気光学装置では、前記画像信号は、階調に応じたパルス幅信号であり、当該画像信号と異なる信号は、前記画像信号の極性を反転して供給することが好ましい。
【００１６】
この発明によれば、画像信号を、階調に応じたパルス幅信号とし、画像信号と異なる信号を、画像信号の極性を反転して生成した。このため、画像信号による画素容量の電圧実効値の変動分とは逆の電圧実効値の変動分が、画像信号と異なる信号によって生じるので、横クロストークをさらに確実に低減できる。
【００１７】
本発明の電気光学装置では、前記データ線駆動回路は、前記画像信号のうち同一の走査線に係る画素に供給されるものについて、階調レベルを計数する階調レベル計数部と、前記階調レベル計数部で計数された階調レベルのうち発生頻度の高いものを抽出する階調レベル抽出部と、前記発生頻度の高い階調レベルの画像信号の極性を反転して、前記画像信号とは異なる信号を生成する反転画像信号生成部と、を備えることが好ましい。
【００１８】
画像信号のうち発生頻度の高い階調レベルのものほど、画素容量の電圧実効値の変動分が大きくなり、横クロストークが増加する。
そこで、この発明によれば、データ線駆動回路に、画像信号のうち同一の走査線に係る画素に供給されるものについて、階調レベルを計数する階調レベル計数部と、階調レベル計数部で計数された階調レベルのうち発生頻度の高いものを抽出する階調レベル抽出部と、この発生頻度の高い階調レベルの画像信号の極性を反転して、画像信号とは異なる信号を生成する反転画像信号生成部と、を設けた。すなわち、発生頻度の高い階調レベルの画像信号による画素容量の電圧実効値の変動分を、画像信号とは異なる信号による画素容量の電圧実効値の変動分により、優先的に相殺させた。したがって、画像信号による画素容量の電圧実効値の変動分の大きいものから優先的に除去して、横クロストークを効率的に低減できる。
【００１９】
本発明の電気光学装置では、前記非照明表示領域のうち前記照明表示領域に隣接する境界近傍を境界領域とすると、前記データ線駆動回路は、前記境界領域に対応するデータ線に対して、所定の均一な階調レベルの信号を供給することが好ましい。
【００２０】
所定の均一な階調レベルの信号とは、例えば、黒の階調を表示する信号である。
この発明によれば、データ線駆動回路により、複数のデータ線のうち境界領域に係るものに、所定の均一な階調レベルの信号を供給した。
このため、非照明表示領域のうち境界領域で、照明表示領域の光源からの光漏れが発生しても、非照明表示領域の階調によらず所定の均一な階調を表示して、光漏れによって非照明表示領域に印加した信号による表示が認識されるのを防止できる。
【００２１】
本発明の電気光学装置では、前記照明表示領域および前記非照明表示領域をフレーム期間ごとに変化させることが好ましい。
【００２２】
ここで、ＣＲＴのようにインパルス型の表示を行う電気光学装置に比べ、本発明における電気光学装置では、あるフレーム中に表示された画像は、次のフレームに切り替わる直前まで保持される、所謂ホールド型の表示が行われる。このため、ホールド型の電気光学装置は、人間の目の特性上、インパルス型の電気光学装置と比較して、動画像を表示する際に残像が目立ち、表示される画像が不鮮明になる（以降、動画像ぼやけと呼ぶ）場合がある。
そこで、この発明によれば、照明表示領域および非照明表示領域をフレーム期間ごとに変化させた。このため、画像の表示がなされない非照明表示領域をフレーム期間ごとに移動させたことで、画素が構成された領域全面を用いた表示が可能になった。また、ホールド型の電気光学装置であっても、ある特定の画素について考えると、連続するフレームのうち所定のフレームにおいてのみ画像を表示することになった。これにより、インパルス型の表示方式に近付けて、動画像ぼやけの発生を抑制できる。
【００２３】
本発明の電気光学装置では、フレーム周波数は、１２０Ｈｚ以上であることが好ましい。
【００２４】
この発明によれば、フレーム周波数を１２０Ｈｚ以上とした。よって、ある特定の画素について考えると、画像表示されるフレーム同士の間隔が短くなるから、フリッカを抑制できる。
【００２５】
本発明の電子機器は、上述の電気光学装置を備えたことを特徴とする。
この発明によれば、上述した効果と同様の効果がある。
【発明を実施するための最良の形態】
【００２６】
以下、本発明の実施形態を図面に基づいて説明する。なお、以下の実施形態および変形例の説明にあたって、同一構成要件については同一符号を付し、その説明を省略もしくは簡略化する。
＜第１実施形態＞
図１は、本発明の第１実施形態に係る電気光学装置１の構成を示すブロック図である。
電気光学装置１は、液晶パネルＡＡと、この液晶パネルＡＡの動作を制御する制御回路４０と、液晶パネルＡＡに駆動電圧を供給する駆動電圧生成回路５０と、図示しないバックライトユニットと、を備える。この液晶パネルＡＡは、複数の画素１５０を有する表示領域Ａと、この表示領域Ａの周辺に設けられて画素１５０を駆動する走査線駆動回路２０と、データ線駆動回路３０と、を備える。
【００２７】
液晶パネルＡＡは、所定間隔おきに設けられた５本の走査線Ｙ１〜Ｙ５と、これら走査線Ｙに交差し所定間隔おきに設けられた１０本のデータ線Ｘ１〜Ｘ１０と、を備え、画素１５０は、各走査線Ｙと各データ線Ｘとの交差部に設けられる。
【００２８】
画素１５０は、画素容量１５１と、スイッチング素子としての薄膜ダイオード（以降、ＴＦＤと呼ぶ）１５５と、を備える。画素容量１５１は、データ線Ｘに接続された一方の電極と、ＴＦＤ１５５を介して走査線Ｙに接続された他方の電極としての画素電極と、を備え、これら電極の間には、電気光学物質としての液晶が挟持される。
【００２９】
制御回路４０は、走査線駆動回路２０およびデータ線駆動回路３０に制御信号を供給して、液晶パネルＡＡの動作を制御する。
具体的には、制御回路４０は、走査線駆動回路２０に、スタートパルスＤＹと、クロック信号ＹＣＫと、極性指示信号ＰＯＬと、を供給する。また、制御回路４０は、データ線駆動回路３０に、スタートパルスＤＸと、クロック信号ＸＣＫと、ラッチパルスＬＰと、階調コードパルスＧＣＰと、リセット信号ＲＥＳと、極性指示信号ＰＯＬと、を供給する。
なお、これら信号の詳細については、後述する。
【００３０】
駆動電圧生成回路５０は、走査線駆動回路２０およびデータ線駆動回路３０に駆動電圧を供給する。
具体的には、駆動電圧生成回路５０は、走査線駆動回路２０に、電圧±Ｖｓおよび電圧±Ｖｄを供給する。また、駆動電圧生成回路５０は、データ線駆動回路３０に、電圧±Ｖｄを供給する。
なお、これら電圧の詳細については、後述する。
【００３１】
走査線駆動回路２０は、走査信号として、選択電圧を走査線Ｙ１〜Ｙ５に線順次で供給する。これにより、選択電圧を供給した走査線Ｙに係る画素１５０を全て選択する。
【００３２】
図２は、表示領域Ａを示す図である。
表示領域Ａには、図２中Ｘ方向、すなわち図１中走査線Ｙの延在する方向に、照明表示領域Ａ１および非照明表示領域Ａ２が並んで設けられる。
【００３３】
バックライトユニットは、光源と、この光源を制御する光源制御回路と、を備える。
光源制御回路は、表示領域Ａのうち照明表示領域Ａ１を選択する。光源は、光源制御回路に制御されて、表示領域Ａのうち照明表示領域Ａ１を選択的に照明する。
本実施形態では、データ線Ｘ１〜Ｘ１０のうち、データ線Ｘ１〜Ｘ５を照明表示領域Ａ１に係るものとし、データ線Ｘ６〜Ｘ１０を非照明表示領域Ａ２に係るものとして説明する。
【００３４】
図１に戻って、データ線駆動回路３０は、表示する階調に応じて所定の電圧のパルス幅を変調するパルス幅変調を行って、画像信号を生成する。次に、走査線Ｙに選択電圧が供給される期間において、この画像信号を照明表示領域Ａ１に係るデータ線Ｘ１〜Ｘ５に供給するとともに、この画像信号の極性を反転したものを非照明表示領域Ａ２に係るデータ線Ｘ６〜Ｘ１０に供給する。
【００３５】
以上の電気光学装置１は、以下のように動作する。
すなわち、バックライトユニットにより、表示領域Ａのうち照明表示領域Ａ１のみを照明する。そして、走査線駆動回路２０から走査線Ｙに選択電圧を線順次で供給することで、順次、各走査線Ｙに係る画素１５０を全て選択する。すると、選択した画素１５０に係るＴＦＤ１５５が導通状態となり、選択電圧に応じた電圧が画素容量１５１の画素電極に印加される。
次に、これら画素１５０の選択に同期して、データ線駆動回路３０から照明表示領域Ａ１に係るデータ線Ｘ１〜Ｘ５に画像信号を供給する。すると、選択した画素１５０のうち照明表示領域Ａ１に係るものの画素容量１５１に、画像信号に応じた電圧が印加される。
また、上述の画素１５０の選択に同期して、データ線駆動回路３０から非照明表示領域Ａ２に係るデータ線Ｘ６〜Ｘ１０に画像信号の極性を反転したものを供給する。すると、選択した画素１５０のうち非照明表示領域Ａ２に係るものの画素容量１５１に、画像信号の極性を反転したものに応じた電圧が印加される。
【００３６】
すると、照明表示領域Ａ１に係る画素１５０では、画素容量１５１の画素電極および一方の電極に電位差が生じ、液晶に駆動電圧が印加される。これにより、液晶の配向や秩序が変化し、液晶を透過するバックライトユニットからの光が変化して、階調表示が行われる。
【００３７】
一方、非照明表示領域Ａ２に係る画素１５０では、画素容量１５１の画素電極および一方の電極に電位差が生じ、液晶に駆動電圧が印加される。これにより、液晶の配向や秩序が変化する。ところが、非照明表示領域Ａ２は、バックライトユニットにより照明されないので、光が液晶を透過せず、階調表示が行われない。
【００３８】
図３は、走査線駆動回路２０の構成を示すブロック図である。
走査線駆動回路２０は、シフトレジスタ回路２１と、電圧選択信号生成回路２２と、電圧選択回路２３と、を備える。
【００３９】
シフトレジスタ回路２１は、走査線Ｙの本数に等しい段数、ここでは５段のシフトレジスタである。このシフトレジスタ回路２１には、１垂直走査期間（１Ｆ）の開始時にＨレベルとなるスタートパルスＤＹと、走査線駆動回路２０における基準信号であるクロック信号ＹＣＫと、が入力される。なお、クロック信号ＹＣＫの１周期は、１水平走査期間に等しい。
このシフトレジスタ回路２１は、クロック信号ＹＣＫに同期してスタートパルスＤＹを順次シフトして、転送信号ＹＳ１〜ＹＳ５として１水平走査期間に亘りＨレベルとなるパルスを順次出力する。
【００４０】
電圧選択信号生成回路２２は、走査線Ｙに供給する走査信号の電圧を選択する信号を出力する。この電圧選択信号生成回路２２には、１水平走査期間ごとに極性の反転する極性指示信号ＰＯＬと、シフトレジスタ回路２１から出力された転送信号ＹＳと、が入力される。
ここで、走査信号の電圧は、上述の駆動電圧生成回路５０から出力される電圧±Ｖｓおよび電圧±Ｖｄの４種類を遷移する。また、電圧±Ｖｓは、ＴＦＤ１５５を導通状態にする選択電圧であり、電圧±Ｖｄは、ＴＦＤ１５５を非導通状態にする非選択電圧である。
この電圧選択信号生成回路２２は、極性指示信号ＰＯＬおよび転送信号ＹＳに基づいて、走査信号の電圧を選択する電圧選択信号ａ、ｂ、ｃ、ｄのいずれかを出力する。
【００４１】
例えば、転送信号ＹＳ１〜ＹＳ５のうち転送信号ＹＳ３がＨレベルであり、極性指示信号ＰＯＬがＨレベルからＬレベルに遷移する場合、電圧選択信号生成回路２２は以下のように動作する。
すなわち、極性指示信号ＰＯＬがＨレベルの状態では、走査信号の電圧として選択電圧＋Ｖｓを選択する電圧選択信号ａ３を出力し、その後、極性指示信号ＰＯＬがＬレベルになると、走査信号の電圧として非選択電圧＋Ｖｄを選択する電圧選択信号ｂ３を出力する。
【００４２】
一方、転送信号ＹＳ１〜ＹＳ５のうち転送信号ＹＳ３がＨレベルであり、極性指示信号ＰＯＬがＬレベルからＨレベルに遷移する場合、電圧選択信号生成回路２２は以下のように動作する。
すなわち、極性指示信号ＰＯＬがＬレベルの状態では、走査信号の電圧として選択電圧−Ｖｓを選択する電圧選択信号ｃ３を出力し、その後、極性指示信号ＰＯＬがＨレベルになると、走査信号の電圧として非選択電圧−Ｖｄを選択する電圧選択信号ｄ３を出力する。
【００４３】
また、転送信号ＹＳ１〜ＹＳ５のうち転送信号ＹＳ３がＬレベルであり、この転送信号ＹＳ３がＬレベルとなる前の１水平走査期間においてＨレベルであり、かつ、極性指示信号ＰＯＬがＨレベルであれば、走査信号の電圧として非選択電圧＋Ｖｄを選択する電圧選択信号ｂ３を出力し、極性指示信号ＰＯＬがＬレベルであれば、走査信号の電圧として非選択電圧−Ｖｄを選択する電圧選択信号ｄ３を出力する。
一方、転送信号ＹＳ３がＬレベルとなる前の１水平走査期間においてＬレベルであれば、この１水平走査期間に出力した非選択電圧＋Ｖｄを選択する電圧選択信号ｂ３、または、非選択電圧−Ｖｄを選択する電圧選択信号ｄ３のいずれかを出力する。
【００４４】
なお、選択電圧±Ｖｓの中間電圧および非選択電圧±Ｖｄの中間電圧をともに中間電圧Ｖｃとし、この中間電圧Ｖｃを基準として高電位側を正極性とし、低電位側を負極性とする。
【００４５】
電圧選択回路２３は、複数の電圧の中から１つを選択し、走査信号として出力する。この電圧選択回路２３には、電圧±Ｖｓ、±Ｖｄと、電圧選択信号生成回路２２から出力された電圧選択信号ａ、ｂ、ｃ、ｄと、が入力される。
具体的には、電圧選択回路２３は、電圧選択信号ａを入力されると選択電圧＋Ｖｓを出力する第１の単位電圧選択回路２３１と、電圧選択信号ｂを入力されると非選択電圧＋Ｖｄを出力する第２の単位電圧選択回路２３２と、電圧選択信号ｃを入力されると非選択電圧−Ｖｄを出力する第３の単位電圧選択回路２３３と、電圧選択信号ｄを入力されると選択電圧−Ｖｓを出力する第４の単位電圧選択回路２３４と、を備える。
【００４６】
この電圧選択回路２３は、入力された電圧選択信号に基づいて、電圧選択信号ａが入力された場合、走査信号として選択電圧＋Ｖｓを出力する。また、電圧選択信号ｂ、ｃ、ｄが入力された場合、走査信号として、それぞれ選択電圧＋Ｖｄ、−Ｖｄ、−Ｖｓを出力する。
【００４７】
以上の走査線駆動回路２０は、以下のように動作する。すなわち、走査線駆動回路２０は、走査線Ｙに選択電圧を線順次で供給する。
【００４８】
具体的には、まず、シフトレジスタ回路２１により、転送信号ＹＳ１〜ＹＳ５として、１水平走査期間に亘りＨレベルとなるパルスを線順次で出力する。
次に、電圧選択信号生成回路２２により、転送信号ＹＳに同期して、走査信号として選択電圧＋Ｖｓを選択する電圧選択信号ａと、走査信号として非選択電圧＋Ｖｄを選択する電圧選択信号ｂと、走査信号として非選択電圧−Ｖｄを選択する電圧選択信号ｃと、走査信号として選択電圧−Ｖｓを選択する電圧選択信号ｄとを、電圧選択信号ａ、ｂ、ｃ、ｄの順番に出力する。
次に、電圧選択回路２３により、電圧選択信号ａ、ｂ、ｃ、ｄに基づいて、走査信号として、選択電圧＋Ｖｓ、非選択電圧＋Ｖｄ、非選択電圧−Ｖｄ、選択電圧−Ｖｓの順番にこれら電圧を出力する。
走査線駆動回路２０は、電圧選択回路２３から出力された電圧を走査線Ｙに供給する。
【００４９】
図４は、データ線駆動回路３０の構成を示すブロック図である。
データ線駆動回路３０は、シフトレジスタ回路３１１と、データ保持回路３２１と、計数回路３３と、大小比較回路３４と、排他的論理和回路３５と、スイッチ回路３６と、を備える。
【００５０】
シフトレジスタ回路３１１は、４ビットの階調データＤａを、照明表示領域Ａ１に係るデータ線Ｘの本数に等しい段数、ここでは５段シフトするシフトレジスタである。つまり、４ビット×５段のシフトレジスタである。
このシフトレジスタ回路３１１には、階調に応じた４ビットの階調データＤａが入力されるとともに、スタートパルスＤＸがＨレベル、すなわち階調データＤａの入力時に、データ線駆動回路３０における基準信号であるクロック信号ＸＣＫが入力される。なお、クロック信号ＸＣＫの１周期は、１水平ラインの画素１５０の全てに階調データＤａを供給する周期に等しい。
このシフトレジスタ回路３１１は、クロック信号ＸＣＫに同期して、階調データＤａを順次シフトして、このシフトした階調データをシフト済階調データとして順次出力する。
【００５１】
データ保持回路３２１は、シフトレジスタ回路３１１の備える上述の４ビット×５段のシフトレジスタにそれぞれ接続された５つのラッチ回路を備える。このデータ保持回路３２１には、シフトレジスタ回路３１１から出力されたシフト済階調データと、ラッチパルスＬＰと、が入力される。このラッチパルスＬＰは、１行分の画素１５０のうち照明表示領域Ａ１に係るものの階調データＤａが全てシフトレジスタ回路３１１に入力されると、Ｈレベルとなる。
このデータ保持回路３２１は、ラッチパルスＬＰがＬレベルからＨレベルになると、入力されたシフト済階調データを保持しつつ、この保持したシフト済階調データを保持済階調データとして出力する。
【００５２】
計数回路３３は、階調コードパルスＧＣＰに同期して動作する１６進カウンタである。この計数回路３３には、１水平走査期間に１５個のパルスを有する階調コードパルスＧＣＰと、リセット信号ＲＥＳと、が入力される。なお、階調コードパルスＧＣＰについて、１水平走査期間に有する１５個のパルスのパルス幅は、画素容量１５１の印加電圧−透過率特性（Ｖ−Ｔ特性）等を考慮して設定される。
この計数回路３３は、階調コードパルスＧＣＰに同期して、１６進カウンタを１ずつカウントアップさせ、この１６進カウンタのカウント値を出力する。また、Ｌレベルのリセット信号ＲＥＳにより、計数回路３３の１６進カウンタを０にリセットする。
【００５３】
大小比較回路３４は、正極側大小比較回路３４１を備える。
正極側大小比較回路３４１は、データ保持回路３２１の備える上述の５つのラッチ回路にそれぞれ接続された５つの大小比較器を備える。この正極側大小比較回路３４１には、データ保持回路３２１から出力された保持済階調データと、計数回路３３から出力された１６進カウンタのカウント値と、が入力される。
この正極側大小比較回路３４１は、保持済階調データおよび１６進カウンタのカウント値の大小比較をして、この大小比較結果を出力する。具体的には、保持済階調データが１６進カウンタのカウント値以上であれば、Ｈレベルの比較結果信号を出力する。一方、４ビットの保持済階調データが１６進カウンタのカウント値未満であれば、Ｌレベルの比較結果信号を出力する。
【００５４】
排他的論理和回路３５は、正極側排他的論理和回路３５１と、負極側排他的論理和回路３５２と、を備える。
正極側排他的論理和回路３５１は、正極側大小比較回路３４１の備える上述の５つの大小比較器にそれぞれ接続された５つの排他的論理和演算器を備える。この正極側排他的論理和回路３５１には、上述の極性指示信号ＰＯＬと、大小比較回路３４１から出力された比較結果信号と、が入力される。
この正極側排他的論理和回路３５１は、極性指示信号ＰＯＬおよび比較結果信号の排他的論理和を取り、正極側制御信号として出力する。
【００５５】
負極側排他的論理和回路３５２は、正極側大小比較回路３４１の備える上述の５つの大小比較器にそれぞれ接続された５つの排他的論理和演算器を備える。この負極側排他的論理和回路３５２には、上述の極性指示信号ＰＯＬの極性を反転したものと、正極側大小比較回路３４１から出力された比較結果信号と、が入力される。
この負極側排他的論理和回路３５２は、極性指示信号ＰＯＬの極性を反転したものおよび比較結果信号の排他的論理和を取り、負極側制御信号として出力する。
【００５６】
ここで、正極側排他的論理和回路３５１および負極側排他的論理和回路３５２には、正極側大小比較回路３４１から出力された同一の比較結果信号がそれぞれ入力されるとともに、極性指示信号ＰＯＬおよびこの極性指示信号ＰＯＬの極性を反転したものがそれぞれ入力される。したがって、正極側排他的論理和回路３５１が出力する正極側制御信号と、負極側排他的論理和回路３５２が出力する負極側制御信号とは、常に極性の反転した関係となる。
【００５７】
スイッチ回路３６は、正極側スイッチ回路３６１と、負極側スイッチ回路３６２と、を備える。
正極側スイッチ回路３６１は、正極側排他的論理和回路３５１の備える上述の５つの排他的論理和演算器にそれぞれ接続された５つの単位スイッチ回路を備える。この正極側スイッチ回路３６１には、正極側排他的論理和回路３５１から出力された正極側制御信号と、上述の電圧±Ｖｄと、が入力される。
この正極側スイッチ回路３６１は、正極側制御信号に基づいて、電圧＋Ｖｄ、−Ｖｄのいずれかを出力する。具体的には、正極側スイッチ回路３６１は、正極側制御信号がＨレベルであれば、電圧−Ｖｄを出力する。一方、正極側制御信号がＬレベルであれば、電圧＋Ｖｄを出力する。
【００５８】
負極側スイッチ回路３６２は、負極側排他的論理和回路３５２の備える上述の５つの排他的論理和演算器にそれぞれ接続された５つの単位スイッチ回路を備える。この負極側スイッチ回路３６２には、負極側排他的論理和回路３５２から出力された負極側制御信号と、上述の電圧±Ｖｄと、が入力される。
この正極側スイッチ回路３６１は、負極側制御信号に基づいて、電圧＋Ｖｄ、−Ｖｄのいずれかを出力する。具体的には、負極側スイッチ回路３６２は、負極側制御信号がＨレベルであれば、電圧−Ｖｄを出力する。一方、負極側制御信号がＬレベルであれば、電圧＋Ｖｄを出力する。
【００５９】
ここで、正極側スイッチ回路３６１および負極側スイッチ回路３６２には、互いに極性の異なる正極側制御信号および負極側制御信号がそれぞれ入力される。したがって、正極側スイッチ回路３６１が出力する電圧と、負極側スイッチ回路３６２が出力する電圧とは、常に極性の反転した関係となる。
【００６０】
以上のデータ線駆動回路３０は、以下のように動作する。すなわち、データ線駆動回路３０は、照明表示領域Ａ１に係るデータ線Ｘ１〜Ｘ５に画像信号を供給し、かつ、非照明表示領域Ａ２に係るデータ線Ｘ６〜Ｘ１０に画像信号の極性を反転したものを供給する。
【００６１】
具体的には、まず、シフトレジスタ回路３１１により、階調データＤａを順次シフトして、このシフトした階調データをシフト済階調データとして順次出力する。
次に、データ保持回路３２１により、シフト済階調データを保持しつつ、この保持したシフト済階調データを保持済階調データとして出力する。
次に、正極側大小比較回路３４１により、１水平走査期間のうち保持済階調データに応じた期間に亘りＨレベルとなる比較結果信号を出力する。
【００６２】
次に、正極側排他的論理和回路３５１により、極性指示信号ＰＯＬに基づいて比較結果信号の極性を変化させ、正極側制御信号として出力する。また、負極側排他的論理和回路３５２により、極性指示信号ＰＯＬの極性を反転したものに基づいて比較結果信号の極性を変化させ、負極側制御信号として出力する。このため、正極側制御信号および負極側制御信号は、常に極性の反転した関係となる。
次に、正極側スイッチ回路３６１により、正極側制御信号に基づいて電圧＋Ｖｄ、−Ｖｄのいずれかを選択して、この選択した電圧を正極側制御信号に応じた期間に亘り出力する。また、負極側スイッチ回路３６２により、負極側制御信号に基づいて電圧＋Ｖｄ、−Ｖｄのいずれかを選択して、この選択した電圧を負極側制御信号に応じた期間に亘り出力する。このため、正極側スイッチ回路３６１から出力された電圧と、負極側スイッチ回路３６２から出力された電圧とは、常に極性の反転した関係となる。
データ線駆動回路３０は、正極側スイッチ回路３６１から出力された電圧を照明表示領域Ａ１に係るデータ線Ｘ１〜Ｘ５に供給し、負極側スイッチ回路３６２から出力された電圧を非照明表示領域Ａ２に係るデータ線Ｘ６〜Ｘ１０に供給する。
【００６３】
図５は、電気光学装置１のタイミングチャートである。
まず、時刻ｔ１からｔ３までの期間、走査線Ｙ１に係る画素１５０に正極性書込を行う。すなわち、走査線駆動回路２０により、選択電圧として電圧＋Ｖｓを走査線Ｙ１に供給して、この走査線Ｙ１に係る１水平ラインのＴＦＤ１５５を全て導通状態にする。これにより、電圧＋Ｖｓに応じた電圧が、走査線Ｙ１に係る画素容量１５１の画素電極に印加される。
また、データ線駆動回路３０により、照明表示領域Ａ１に係るデータ線Ｘ１に、時刻ｔ１からｔ３までの期間のうち、時刻ｔ１からｔ２までの期間に亘り電圧−Ｖｄを供給し、時刻ｔ２からｔ３までの期間に亘り電圧＋Ｖｄを供給する。これにより、時刻ｔ１からｔ３までの期間に対する、電圧＋Ｖｄを供給した期間および電圧−Ｖｄを供給した期間の比率、すなわちパルス幅に応じた電圧が、データ線Ｘ１に係る画素容量１５１に印加される。
以上により、走査線Ｙ１およびデータ線Ｘ１の交差部に設けられた画素１５０では、この画素１５０の備える画素容量１５１により、液晶に駆動電圧が印加される。これにより、液晶の配向や秩序が変化し、液晶を透過するバックライトユニットからの光が変化して、階調表示が行われる。
【００６４】
一方、データ線駆動回路３０により、非照明表示領域Ａ２に係るデータ線Ｘ６に、時刻ｔ１からｔ３までの期間のうち、時刻ｔ１からｔ２までの期間に亘り電圧＋Ｖｄを供給し、時刻ｔ２からｔ３までの期間に亘り電圧−Ｖｄを供給する。これにより、時刻ｔ１からｔ３までの期間に対する、電圧＋Ｖｄを供給した期間および電圧−Ｖｄを供給した期間の比率、すなわちパルス幅に応じた電圧が、データ線Ｘ６に係る画素容量１５１に印加される。
以上により、走査線Ｙ１およびデータ線Ｘ６の交差部に設けられた画素１５０では、この画素１５０の備える画素容量１５１により、液晶に駆動電圧が印加される。これにより、液晶の配向や秩序が変化する。ところが、上述の走査線Ｙ１およびデータ線Ｘ６の交差部に設けられた画素１５０は、非照明表示領域Ａ２に係るものであり、バックライトユニットにより照明されないので、光が液晶を透過せず、階調表示が行われない。
【００６５】
次に、時刻ｔ４からｔ６までの期間、走査線Ｙ１に係る画素１５０に負極性書込を行う。すなわち、走査線駆動回路２０により、選択電圧として電圧−Ｖｓを走査線Ｙ１に供給して、この走査線Ｙ１に係る１水平ラインのＴＦＤ１５５を全て導通状態にする。これにより、電圧−Ｖｓに応じた電圧が、走査線Ｙ１に係る画素容量１５１の画素電極に印加される。
また、データ線駆動回路３０により、照明表示領域Ａ１に係るデータ線Ｘ１に、時刻ｔ４からｔ６までの期間のうち、時刻ｔ４からｔ５までの期間に亘り電圧−Ｖｄを供給し、時刻ｔ５からｔ６までの期間に亘り電圧＋Ｖｄを供給する。これにより、時刻ｔ４からｔ６までの期間に対する、電圧＋Ｖｄを供給した期間および電圧−Ｖｄを供給した期間の比率、すなわちパルス幅に応じた電圧が、データ線Ｘ１に係る画素容量１５１に印加される。
以上により、走査線Ｙ１およびデータ線Ｘ１の交差部に設けられた画素１５０では、この画素１５０の備える画素容量１５１により、液晶に駆動電圧が印加される。これにより、液晶の配向や秩序が変化し、液晶を透過するバックライトユニットからの光が変化して、階調表示が行われる。
【００６６】
一方、データ線駆動回路３０により、非照明表示領域Ａ２に係るデータ線Ｘ６に、時刻ｔ４からｔ６までの期間のうち、時刻ｔ４からｔ５までの期間に亘り電圧＋Ｖｄを供給し、時刻ｔ５からｔ６までの期間に亘り電圧−Ｖｄを供給する。これにより、時刻ｔ４からｔ６までの期間に対する、電圧＋Ｖｄを供給した期間および電圧−Ｖｄを供給した期間の比率、すなわちパルス幅に応じた電圧が、データ線Ｘ６に係る画素容量１５１に印加される。
以上により、走査線Ｙ１およびデータ線Ｘ６の交差部に設けられた画素１５０では、この画素１５０の備える画素容量１５１により、液晶に駆動電圧が印加される。これにより、液晶の配向や秩序が変化する。ところが、上述の走査線Ｙ１およびデータ線Ｘ６の交差部に設けられた画素１５０は、非照明表示領域Ａ２に係るものであり、バックライトユニットにより照明されないので、光が液晶を透過せず、階調表示が行われない。
【００６７】
本実施形態によれば、以下のような効果がある。
（１）光源により、表示領域Ａのうち非照明表示領域Ａ２に対して照明をせず、表示領域Ａのうち照明表示領域Ａ１に対して選択的に照明した。そして、データ線駆動回路３０により、複数のデータ線Ｘのうち照明表示領域Ａ１に係るものには、画像信号を供給し、複数のデータ線Ｘのうち非照明表示領域Ａ２に係るものには、画像信号と異なる信号を供給した。
すなわち、照明表示領域Ａ１にのみ照明して、この照明表示領域Ａ１のみで画像信号に基づく階調表示を行った。したがって、画像信号とは異なる信号として、画像信号による画素容量１５１の電圧実効値の変動分を相殺する信号を供給することで、横クロストークを低減できる。
また、従来のように階調値の発生度数を計数する回路が不要となるから、階調数が増加しても、電気光学装置１の回路規模が増大するのを抑制して、消費電力が増大するのを防止できる。
【００６８】
（２）照明表示領域Ａ１および非照明表示領域Ａ２を、走査線Ｙの延在する方向に並んで設けた。このため、各走査線Ｙに係る画素１５０ごとに、画像信号と異なる信号であって、画像信号による画素容量１５１の電圧実効値の変動分（スパイクノイズの影響）を減少させるような信号を供給して、横クロストークを確実に低減できる。
【００６９】
（３）画像信号を、階調に応じたパルス幅信号とし、画像信号と異なる信号を、画像信号の極性を反転して生成した。このため、画像信号による画素容量１５１の電圧実効値の変動分とは逆の電圧実効値の変動分が、画像信号と異なる信号によって生じるので、横クロストークをさらに確実に低減できる。
【００７０】
＜第２実施形態＞
図６は、本発明の第２実施形態に係るデータ線駆動回路３０Ａの構成を示すブロック図である。データ線駆動回路３０Ａは、シフトレジスタ回路３１１およびデータ保持回路３２１の代わりに優先度決定回路６０を備えている点と、大小比較回路３４Ａの構成とが、図４のデータ線駆動回路３０と異なる。
データ線駆動回路３０Ａは、優先度決定回路６０と、計数回路３３と、大小比較回路３４Ａと、排他的論理和回路３５と、スイッチ回路３６と、を備える。
【００７１】
図７は、優先度決定回路６０の構成を示すブロック図である。
優先度決定回路６０は、照明表示領域Ａ１に係る照明表示領域用回路６０１と、非照明表示領域Ａ２に係る非照明表示領域用回路６０２と、を備える。
【００７２】
照明表示領域用回路６０１は、シフトレジスタ回路３１１Ａと、データ保持回路３２１Ａ、３２１Ｂと、を備える。
シフトレジスタ回路３１１Ａは、４ビットの階調データＤａを、照明表示領域Ａ１に係るデータ線Ｘの本数に等しい段数、ここでは５段シフトするシフトレジスタである。つまり、４ビット×５段のシフトレジスタである。
このシフトレジスタ回路３１１Ａには、階調に応じた４ビットの階調データＤａが入力されるとともに、スタートパルスＤＸがＨレベル、すなわち階調データＤａの入力時に、データ線駆動回路３０における基準信号であるクロック信号ＸＣＫが入力される。
このシフトレジスタ回路３１１Ａは、クロック信号ＸＣＫに同期して、階調データＤａを順次シフトして、このシフトした階調データを第１のシフト済階調データとして順次出力する。
【００７３】
データ保持回路３２１Ａは、シフトレジスタ回路３１１Ａの備える上述の４ビット×５段のシフトレジスタにそれぞれ接続された５つのラッチ回路を備える。このデータ保持回路３２１Ａには、シフトレジスタ回路３１１Ａから出力された第１のシフト済階調データと、ラッチパルスＬＰ１と、が入力される。このラッチパルスＬＰ１は、１行分の画素１５０のうち照明表示領域Ａ１に係るものの階調データＤａが全てシフトレジスタ回路３１１Ａに入力されると、Ｈレベルとなる。
このデータ保持回路３２１Ａは、ラッチパルスＬＰ１がＬレベルからＨレベルになると、入力された第１のシフト済階調データを保持しつつ、この保持した第１のシフト済階調データを第１の保持済階調データとして出力する。
【００７４】
データ保持回路３２１Ｂは、データ保持回路３２１Ａの備える上述の５つのラッチ回路にそれぞれ接続された５つのラッチ回路を備える。このデータ保持回路３２１Ｂには、データ保持回路３２１Ａから出力された第１の保持済階調データと、ラッチパルスＬＰ２と、が入力される。このラッチパルスＬＰ２は、上述のラッチパルスＬＰ１がＨレベルになった後にＨレベルとなる。
このデータ保持回路３２１Ｂは、ラッチパルスＬＰ２がＬレベルからＨレベルになると、入力された第１の保持済階調データを保持しつつ、この保持した第１の保持済階調データを第２の保持済階調データとして出力する。
【００７５】
このデータ保持回路３２１Ｂから出力された第２の保持済階調データは、図６に示す大小比較回路３４Ａの正極側大小比較回路３４１Ａに供給される。
図６に示す正極側大小比較回路３４１Ａは、データ保持回路３２１Ｂの備える上述の５つのラッチ回路にそれぞれ接続された５つの大小比較器を備える。この正極側大小比較回路３４１Ａには、データ保持回路３２１Ｂから出力された第２の保持済階調データと、計数回路３３から出力された１６進カウンタのカウント値と、が入力される。
この正極側大小比較回路３４１Ａは、第２の保持済階調データおよび１６進カウンタのカウント値の大小比較をして、この大小比較結果を出力する。
【００７６】
図７に戻って、非照明表示領域用回路６０２は、階調レベル計数回路３７２と、階調レベル補正回路３８２と、階調レベル抽出回路３９２と、シフトレジスタ回路３１２と、データ保持回路３２２と、を備える。
階調レベル計数回路３７２は、階調データＤａについて階調レベルを計数し、計数した結果を出力する。この階調レベル計数回路３７２には、階調データＤａが入力されるとともに、スタートパルスＤＸがＨレベルの時に、クロック信号ＸＣＫが入力される。
この階調レベル計数回路３７２は、クロック信号ＸＣＫに同期して、同一の走査線Ｙに係る画素１５０に供給される階調データＤａについて階調レベルを計数し、この計数結果を出力する。
【００７７】
階調レベル補正回路３８２は、階調レベル計数回路３７２により計数した階調レベルの計数結果を保持するとともに、この保持した計数結果を補正して出力する。この階調レベル補正回路３８２には、階調レベル計数回路３７２から出力された計数結果と、後述する階調レベル抽出回路３９２から出力された出力済階調データと、上述のラッチパルスＬＰ１と、上述のクロック信号ＸＣＫと、が入力される。
この階調レベル補正回路３８２は、ラッチパルスＬＰ１がＨレベルになると、計数結果を保持する。また、階調レベル補正回路３８２は、クロック信号ＸＣＫに同期して、出力済階調データに基づいて保持済計数結果を補正するとともに、補正した保持済計数結果を補正済計数結果として出力する。
【００７８】
階調レベル抽出回路３９２は、階調レベルを比較し、発生頻度の高い階調レベルの階調データを抽出して出力する。この階調レベル抽出回路３９２には、階調レベル補正回路３８２から出力された補正済計数結果と、クロック信号ＸＣＫと、が入力される。
この階調レベル抽出回路３９２は、補正済計数結果に基づいて階調レベルのうち発生頻度の高いものの階調データを抽出して、この抽出した階調データを出力済階調データとして出力する。
【００７９】
シフトレジスタ回路３１２は、４ビットの出力済階調データを、照明表示領域Ａ１に係るデータ線Ｘの本数に等しい段数、ここでは５段シフトするシフトレジスタである。つまり、４ビット×５段のシフトレジスタである。
このシフトレジスタ回路３１２には、階調に応じた４ビットの出力済階調データが入力されるとともに、上述のクロック信号ＸＣＫと、が入力される。
このシフトレジスタ回路３１１は、クロック信号ＸＣＫに同期して、出力済階調データを順次シフトして、このシフトした出力済階調データを第２のシフト済階調データとして順次出力する。
【００８０】
データ保持回路３２２は、シフトレジスタ回路３１２の備える上述の４ビット×５段のシフトレジスタにそれぞれ接続された５つのラッチ回路を備える。このデータ保持回路３２２には、シフトレジスタ回路３１２から出力された第２のシフト済階調データと、ラッチパルスＬＰ２と、が入力される。
このデータ保持回路３２２は、ラッチパルスＬＰ２がＬレベルからＨレベルになると、入力された第２のシフト済階調データを保持しつつ、この保持した第２のシフト済階調データを第３の保持済階調データとして出力する。
【００８１】
このデータ保持回路３２２から出力された第３の保持済階調データは、図６に示す大小比較回路３４Ａの負極側大小比較回路３４２に供給される。
図６に示す負極側大小比較回路３４２は、データ保持回路３２２の備える上述の５つのラッチ回路にそれぞれ接続された５つの大小比較器を備える。この負極側大小比較回路３４２には、データ保持回路３２２から出力された第３の保持済階調データと、計数回路３３から出力された１６進カウンタのカウント値と、が入力される。
この負極側大小比較回路３４２は、第３の保持済階調データおよび１６進カウンタのカウント値の大小比較をして、この大小比較結果を出力する。
【００８２】
以上のデータ線駆動回路３０Ａは、以下のように動作する。
すなわち、照明表示領域Ａ１に係るデータ線Ｘ１〜Ｘ５に、照明表示領域用回路６０１を介して階調データＤａに基づく画像信号を供給する。
【００８３】
同時に、非照明表示領域Ａ２に係るデータ線Ｘ６〜Ｘ１０に、非照明表示領域用回路６０２により、階調データＤａについて階調レベルの発生頻度の高いものを抽出して、この発生頻度の高い階調データＤａの画像信号の極性を反転したものを供給する。
より具体的には、非照明表示領域用回路６０２の備える階調レベル計数回路３７２により、階調データＤａについて階調レベルを計数する。
次に、階調レベル抽出回路３９２により、この計数した結果に基づいて階調レベルを比較して、発生頻度の高い階調レベルの階調データを抽出する。
次に、負極側排他的論理和回路３５２により、この抽出した階調データに基づく画像信号の極性を反転する。
データ線駆動回路３０Ａは、負極側排他的論理和回路３５２から出力された信号を非照明表示領域Ａ２に係るデータ線Ｘ６〜Ｘ１０に供給する。
【００８４】
なお、非照明表示領域Ａ２に係るデータ線Ｘ６〜Ｘ１０に供給した画像信号の極性を反転したものに係る階調データ、すなわち階調レベル抽出回路３９２により抽出した発生頻度の高い階調レベルの階調データは、階調レベル補正回路３８２に供給される。これにより、階調レベル補正回路３８２では、データ線Ｘ６〜Ｘ１０に供給した画像信号の極性を反転したものを考慮して、階調データＤａのうち階調レベルの発生頻度の高いものから順に出力できる。
【００８５】
本実施形態によれば、以下のような効果がある。
（４）データ線駆動回路３０Ａに、画像信号のうち同一の走査線Ｙに係る画素１５０に供給されるものについて、階調レベルを計数する階調レベル計数回路３７２と、階調レベル計数回路３７２で計数した階調レベルのうち発生頻度の高いものを抽出する階調レベル抽出回路３９２と、この発生頻度の高い階調レベルの画像信号の極性を反転して、画像信号とは異なる信号を生成する負極側排他的論理和回路３５２と、を含んで構成した。すなわち、発生頻度の高い階調レベルの画像信号による画素容量１５１の電圧実効値の変動分を、画像信号とは異なる信号による画素容量１５１の電圧実効値の変動分により、優先的に相殺させた。したがって、画像信号による画素容量１５１の電圧実効値の変動分の大きいものから優先的に除去して、横クロストークを効率的に低減できる。
【００８６】
＜第３実施形態＞
本発明の第３実施形態に係るデータ線駆動回路３０Ｂは、黒の階調を表示する信号を生成し、この信号を、非照明表示領域Ａ２に係るデータ線Ｘ６〜Ｘ１０に供給する。
【００８７】
本実施形態によれば、以下のような効果がある。
（５）非照明表示領域Ａ２に係るデータ線Ｘ６〜Ｘ１０に供給する信号を、黒の階調を表示する信号、すなわち照明表示領域Ａ１の表示品質に与える影響の少ない一定レベルの信号とした。このため、非照明表示領域Ａ２に係るデータ線Ｘ６〜Ｘ１０では、黒の階調を表示する信号により電位が一定となり、これら非照明表示領域Ａ２に係るデータ線Ｘ６〜Ｘ１０と容量結合が生じる走査線Ｙでは、電位の変動を抑制できる。したがって、画素容量１５１の電圧実効値の変動を抑制して、横クロストークを低減できる。
【００８８】
＜第４実施形態＞
本発明の第４実施形態に係るデータ線駆動回路３０Ｃは、非照明表示領域Ａ２のうち照明表示領域Ａ１に隣接するものについて、照明表示領域Ａ１との境界近傍を境界領域とすると、複数のデータ線Ｘのうち境界領域に係るものに、非照明表示領域Ａ２の階調によらず、均一の階調を表示する信号を供給する点が図６のデータ線駆動回路３０Ａと異なる。
【００８９】
図８は、境界領域Ａ３を示す図である。
データ線駆動回路３０Ｃは、この境界領域Ａ３に係るデータ線Ｘに、非照明表示領域Ａ２の階調によらず、均一の階調を表示する信号を供給する。例えば、データ線駆動回路３０Ｃは、境界領域Ａ３に係るデータ線Ｘに黒の階調を表示する信号を供給する。
【００９０】
本実施形態によれば、以下のような効果がある。
（６）データ線駆動回路３０Ｃにより、複数のデータ線Ｘのうち境界領域Ａ３に係るものに、所定の均一な階調レベルの信号を供給した。
このため、非照明表示領域Ａ２のうち境界領域Ａ３で、照明表示領域Ａ１の光源からの光漏れが発生しても、非照明表示領域Ａ２の階調によらず均一な階調を表示して、光漏れによって非照明表示領域Ａ２に印加した信号による表示が認識されるのを防止できる。
【００９１】
＜第５実施形態＞
本発明の第５実施形態に係る光源制御回路は、照明表示領域Ａ１および非照明表示領域Ａ２をフレームごとに変化させる点が図１の電気光学装置１の備える光源制御回路と異なる。
【００９２】
図９、図１０、図１１は、フレームごとの照明表示領域Ａ１および非照明表示領域Ａ２の位置関係を示す図である。
例えば、図９（ａ）に示すように、表示領域の左側を分割表示領域Ａ１１、右側を分割表示領域Ａ１２とすると、第１フレームでは、図９（ｂ）に示すように、分割表示領域Ａ１１を照明表示領域Ａ１とし、分割表示領域Ａ１２を非照明表示領域Ａ２とする。第２フレームでは、図９（ｃ）に示すように、分割表示領域Ａ１１を非照明表示領域Ａ２とし、分割表示領域Ａ１２を照明表示領域Ａ１とする。そして第３フレームでは、図９（ｄ）に示すように、第１フレームと同様、分割表示領域Ａ１２を照明表示領域Ａ１とし、分割表示領域Ａ１２を非照明表示領域Ａ２とする。以後これを繰り返す。
【００９３】
図１０（ａ）では、表示領域がＡ１１、Ａ１２、Ａ１３、Ａ１４の４つの分割表示領域に分割され、そのうちの１領域を照明表示領域Ａ１とし、その他の領域を非照明表示領域Ａ２とする。表示領域の状態はフレームごとに変化し、この場合、フレームが変化するたびに照明表示領域Ａ１が隣接した分割表示領域に移動しているかのように変化する。
【００９４】
図１１（ａ）では、表示領域がＡ１１、Ａ１２、Ａ１３、Ａ１４の４つの分割表示領域に分割され、そのうちの３領域を照明表示領域Ａ１とし、残る１領域を非照明表示領域Ａ２とする。表示領域の状態はフレームごとに変化し、この場合、フレームが変化するたびに非照明表示領域Ａ２が隣接する分割表示領域に移動しているかのように変化する。
【００９５】
図１２、図１３、図１４は、それぞれ、図９、図１０、図１１での、照明表示領域Ａ１、非照明表示領域Ａ２の切り替えタイミングを示すタイミングチャートである。
ここで、分割表示領域Ａ１１、Ａ１２、Ａ１３、Ａ１４の波形を、それぞれ、照明表示領域Ａ１であればＨレベルとし、非照明表示領域Ａ２であればＬレベルとした。
【００９６】
図１２は、図９のタイミングチャートである。
まず、スタートパルスＤＹの立ち上がりに同期して、分割表示領域Ａ１１が非照明表示領域Ａ２となり、分割表示領域Ａ１２が照明表示領域Ａ１となる。そして、次のスタートパルスＤＹの立ち上がりに同期して、分割表示領域Ａ１１が照明表示領域Ａ１となり、分割表示領域Ａ１２が非照明表示領域Ａ２となる。さらに次のスタートパルスＤＹの立ち上がりに同期して、分割表示領域Ａ１１が非照明表示領域Ａ２となり、分割表示領域Ａ１２が照明表示領域Ａ１となる。
【００９７】
図１３は、図１０のタイミングチャートである。
まず、スタートパルスＤＹの立ち上がりに同期して、分割表示領域Ａ１１が照明表示領域Ａ１となり、分割表示領域Ａ１２、Ａ１３、Ａ１４が非照明表示領域Ａ２となる。以降、スタートパルスＤＹの立ち上がりに同期して、照明表示領域Ａ１となる分割表示領域が変化する。この場合、照明表示領域Ａ１と非照明表示領域Ａ２とは、分割表示領域をシフトするように変化する。
【００９８】
図１４は、図１１のタイミングチャートである。
まず、スタートパルスＤＹの立ち上がりに同期して、分割表示領域Ａ１１が非照明表示領域Ａ２となり、分割表示領域Ａ１２、Ａ１３、Ａ１４が照明表示領域Ａ１となる。以降、スタートパルスＤＹの立ち上がりに同期して、非照明表示領域Ａ２となる分割表示領域が変化する。この場合、照明表示領域Ａ１と非照明表示領域Ａ２とは、分割表示領域をシフトするように変化する。
なお、フレームを切り替えるフレーム周波数は、１２０Ｈｚとする。
【００９９】
本実施形態によれば、以下のような効果がある。
（７）光源制御回路により、照明表示領域Ａ１および非照明表示領域Ａ２をフレーム期間ごとに変化させた。このため、画像の表示がなされない非照明表示領域Ａ２をフレーム期間ごとに移動させることで、画素１５０が構成された領域全面を用いた表示が可能になった。また、ホールド型の電気光学装置１であっても、ある特定の画素について考えると、連続するフレームのうち所定のフレームにおいてのみ画像を表示することになった。これにより、インパルス型の表示方式に近付けて、動画像ぼやけの発生を抑制できる。
（８）フレーム周波数を１２０Ｈｚとした。よって、ある特定の画素１５０について考えると、画像表示されるフレーム同士の間隔が短くなるから、フリッカを抑制できる。
【０１００】
＜変形例＞
なお、本発明は前記実施形態に限定されるものではなく、本発明の目的を達成できる範囲での変形、改良等は本発明に含まれるものである。
例えば、上述の第３実施形態では、非照明表示領域Ａ２に係るデータ線Ｘ６〜Ｘ１０に供給する信号を黒の階調を表示する信号としたが、これに限らず、例えば白の階調を表示する信号であってもよい。
また、上述の第５実施形態では、フレーム周波数を１２０Ｈｚとしたが、これに限らず、例えば２４０Ｈｚ等であってもよい。また、表示領域Ａの分割数、照明表示領域Ａ１および非照明表示領域Ａ２のそれぞれの位置と、それぞれの数とは、図９〜図１１に示す限りでない。
【０１０１】
また、例えば、上述した各実施形態では、本発明を液晶を用いた電気光学装置１に適用したが、これに限らず、液晶以外の電気光学物質を用いた電気光学装置にも適用できる。電気光学物質とは、電気信号（電流信号または電圧信号）の供給によって透過率や輝度といった光学的特性が変化する物質である。例えば、有機ＥＬ（Electro-Luminescent）や発光ポリマーなどのＯＬＥＤ素子を電気光学物質として用いた表示パネルや、着色された液体とこの液体に分散された白色の粒子とを含むマイクロカプセルを電気光学物質として用いた電気泳動表示パネル、極性が相違する領域ごとに異なる色に塗り分けられたツイストボールを電気光学物質として用いたツイストボールディスプレイパネル、黒色トナーを電気光学物質として用いたトナーディスプレイパネル、ヘリウムやネオン等の高圧ガスを電気光学物資として用いたプラズマディスプレイパネル、あるいは、プロジェクタに用いられるＲＧＢ用のライトバルブなど各種の電気光学装置に対しても、上記実施形態と同様に本発明が適用され得る。
【０１０２】
＜応用例＞
次に、上述した実施形態に係る電気光学装置１を適用した電子機器について説明する。
図１５は、電気光学装置１を適用した携帯電話機の構成を示す斜視図である。携帯電話機３０００は、複数の操作ボタン３００１およびスクロールボタン３００２、ならびに電気光学装置１を備える。スクロールボタン３００２を操作することによって、電気光学装置１に表示される画面がスクロールされる。
【０１０３】
なお、電気光学装置１が適用される電子機器としては、図１５に示すものの他、パーソナルコンピュータ、情報携帯端末、デジタルスチルカメラ、液晶テレビ、ビューファインダ型、モニタ直視型のビデオテープレコーダ、カーナビゲーション装置、ページャ、電子手帳、電卓、ワードプロセッサ、ワークステーション、テレビ電話、ＰＯＳ端末、タッチパネルを備えた機器などが挙げられる。そして、これらの各種電子機器の表示部として、前述した電気光学装置が適用可能である。
【図面の簡単な説明】
【０１０４】
【図１】本発明の第１実施形態に係る電気光学装置の構成を示すブロック図である。
【図２】前記電気光学装置の表示領域を示す図である。
【図３】前記電気光学装置の走査線駆動回路の構成を示すブロック図である。
【図４】前記電気光学装置のデータ線駆動回路の構成を示すブロック図である。
【図５】前記電気光学装置のタイミングチャートである。
【図６】本発明の第２実施形態に係るデータ線駆動回路の構成を示すブロック図である。
【図７】前記データ線駆動回路の優先度決定回路の構成を示すブロック図である。
【図８】本発明の第４実施形態に係る境界領域を示す図である。
【図９】本発明の第５実施形態に係るフレームごとの照明表示領域および非照明表示領域の位置関係を示す第１の図である。
【図１０】前記実施形態に係るフレームごとの照明表示領域および非照明表示領域の位置関係を示す第２の図である。
【図１１】前記実施形態に係るフレームごとの照明表示領域および非照明表示領域の位置関係を示す第３の図である。
【図１２】前記実施形態に係る照明表示領域Ａ１、非照明表示領域Ａ２の切り替えタイミングを示す第１のタイミングチャートである。
【図１３】前記実施形態に係る照明表示領域Ａ１、非照明表示領域Ａ２の切り替えタイミングを示す第２のタイミングチャートである。
【図１４】前記実施形態に係る照明表示領域Ａ１、非照明表示領域Ａ２の切り替えタイミングを示す第３のタイミングチャートである。
【図１５】前記電気光学装置を適用した携帯電話の構成を示す斜視図である。
【符号の説明】
【０１０５】
１…電気光学装置、２０…走査線駆動回路、３０…データ線駆動回路、４０…制御回路、５０…駆動電圧生成回路、６０…優先度決定回路、１５０…画素、１５１…画素容量、１５５…ＴＦＤ（スイッチング素子）、３７２…階調レベル計数回路（階調レベル計数部）、３９２…階調レベル抽出回路、Ｘ…データ線、Ｙ…走査線、Ａ…表示領域、Ａ１…照明表示領域、Ａ２…非照明表示領域、Ａ３…境界領域。
【図１】
2007212606.tif 000003
【図２】
2007212606.tif 000004
【図３】
2007212606.tif 000005
【図４】
2007212606.tif 000006
【図５】
2007212606.tif 000007
【図６】
2007212606.tif 000008
【図７】
2007212606.tif 000009
【図８】
2007212606.tif 000010
【図９】
2007212606.tif 000011
【図１０】
2007212606.tif 000012
【図１１】
2007212606.tif 000013
【図１２】
2007212606.tif 000014
【図１３】
2007212606.tif 000015
【図１４】
2007212606.tif 000016
【図１５】
2007212606.tif 000017